(57)【要約】【課題】従来、眼底用のＯＣＴ装置において前眼部撮像用アダプターを用いた前眼部断層像撮像においても前眼部観察光学系による前眼部観察を可能とする。【解決手段】被検眼の眼底の断層画像を撮像する断層画像撮像光学系と、被検眼の前眼部を撮像する撮像手段を含む前眼部観察光学系と、これらを内蔵して前眼部の断層画像を撮像する際に用いる前眼部撮像用アダプターを被検眼と対向する位置に装着可能な光学ヘッドと、を有する眼科装置において、前眼部観察光学系の光路に対し挿脱可能であって、被検眼前眼部の結像位置を補正する結像位置補正手段を配する。【選択図】図５
2016123481.tif 000002
【特許請求の範囲】
【請求項１】
被検眼の眼底の断層画像を撮像する断層画像撮像光学系と、
前記被検眼の前眼部を撮像する撮像手段を含む前眼部観察光学系と、
前記断層画像撮像光学系と前記前眼部観察光学系と内蔵し、前記前眼部の断層画像を撮像する際に用いる前眼部撮像用アダプターを前記被検眼と対向する位置に装着可能な光学ヘッドと、
前記前眼部観察光学系の光路に対し挿脱可能であって、前記被検眼前眼部の結像位置を補正する結像位置補正手段と、を有することを特徴とする眼科装置。
【請求項２】
前記前眼部観察光学系は、前記撮像手段が前記前眼部を撮像する際に前記被検眼の前眼部を照明する前眼部照明手段を有し、
前記断層画像撮像光学系により前記被検眼の眼底の断層画像を撮像する際に前記前眼部と前記撮像手段とが共役となることを特徴とする請求項１に記載の眼科装置。
【請求項３】
前記前眼部撮像用アダプターは導光手段を有し、前記前眼部照明手段からの照明光は前記導光手段を介して被検眼前眼部を照明することを特徴とする請求項２に記載の眼科装置。
【請求項４】
前記結像位置補正手段は、前記前眼部観察光学系の光路に挿入された際に、前記被検眼前眼部と前記撮像手段とを共役の関係とすることにより前記結像位置を補正することを特徴とする請求項１乃至３の何れか一項に記載の眼科装置。
【請求項５】
前記前眼部撮像用アダプターの前記光学ヘッドへの装着を検知する検知手段と、
前記検知手段により前眼部撮像用アダプターの装着が検知された際に、前記結像位置補正手段を前記光路に挿入する制御手段と、を有することを特徴とする請求項１乃至４の何れか一項に記載の眼科装置。
【請求項６】
被検眼の眼底の断層画像を撮像する断層画像撮像光学系と、
前記被検眼の前眼部を撮像する前眼部観察光学系と、
前記断層画像撮像光学系と前記前眼部観察光学系を内蔵する光学ヘッドと、
前記断層画像撮像光学系により前記前眼部の断層画像を撮像する際に前記前眼部観察光学系の光路に挿入されて前記前眼部の結像位置を補正する結像位置補正手段と、を有する眼科装置、および
前記断層画像撮像光学系により前記前眼部の断層画像を撮像する際に、前記光学ヘッドにおける前記被検眼と対向する位置に装着可能な前眼部撮影用アダプター、を有することを特徴とする眼科システム。
【請求項７】
前記前眼部撮像用アダプターの前記光学ヘッドへの装着を検知する検知手段と、
前記検知手段により前眼部撮像用アダプターの装着が検知された際に、前記結像位置補正手段を前記光路に挿入する制御手段と、を有することを特徴とする請求項６に記載の眼科システム。
【請求項８】
被検眼の眼底の断層画像を撮像する断層画像撮像光学系と、前記被検眼の前眼部を照明する前眼部照明手段および前記照明された前眼部を撮像する撮像手段を含む前眼部観察光学系と、を内蔵する光学ヘッドに対して、前眼部撮像用アダプターを前記被検眼と対向する位置に装着する工程と、
前記前眼部撮像用アダプターの前記光学ヘッドへの装着を検知する工程と、
前記被検眼前眼部の結像位置を補正する結像位置補正手段を前記前眼部観察光学系の光路に対し挿入する工程と、を有することを特徴とする眼科装置の制御方法。
【請求項９】
前記断層画像撮像光学系により前記被検眼の眼底の断層画像を撮像する際には前記前眼部と前記撮像手段とが共役であり、
前記前眼部撮影用アダプターが装着された状態においては、前記前眼部観察光学系の光路に前記結像位置補正手段を挿入することにより前記被検眼前眼部と前記撮像手段とを共役の関係とすることにより前記結像位置を補正することを特徴とする請求項８に記載の眼科装置の制御方法。
【請求項１０】
請求項８又は９に記載の眼科装置の制御方法の各工程をコンピュータに実行させることを特徴とするプログラム。
【発明の詳細な説明】
【技術分野】
【０００１】
本発明は、被検眼の眼底或いは前眼部の断層像を撮像する眼科装置、眼科システム、および眼科装置の制御方法に関する。
【背景技術】
【０００２】
被検眼眼底の断層像を撮像する眼科装置として、光断層画像撮像装置である光干渉断層計（Ｏｐｔｉｃａｌ  Ｃｏｈｅｒｅｎｃｅ  Ｔｏｍｏｇｒａｐｈｙ：以下、これをＯＣＴ装置と記す。）が知られている。被検眼眼底の断層像を撮像するＯＣＴ装置では、被検眼の前眼部を観察するための撮像手段と前眼部観察光学系とを有し、前眼部と装置とのアライメント状態の観察が可能な装置が知られている。また、被検眼の前眼部の断層像を撮像するために、前眼部撮像用アダプターを対物レンズ付近に取り付けることにより、前眼部の断層像を撮像可能とするＯＣＴ装置も知られている（特許文献１参照）。
【０００３】
被検眼眼底の断層像を撮像する場合、ＯＣＴ装置の光学系では被検眼と装置との作動距離は適正に維持される。また、ＯＣＴ光学系は、この適正作動距離において、内含される合焦レンズの移動により、所定範囲の被検眼の視度に対して被検眼眼底とＯＣＴ光学系の光源および受光手段を略共役にできるように配置されている。該ＯＣＴ光学系では更に、被検眼の所定範囲の眼軸長に応じてＯＣＴの参照光学系のミラー移動等により参照光と測定光との光路長を合わせることが可能となっている。加えて、アライメント等のために前眼部を観察するために用いられる前眼部観察光学系については、その撮像手段と被検眼の瞳孔付近とが略共役となるように配置されているのが一般的である。
【０００４】
このような被検眼眼底の断層像を撮像するＯＣＴ装置により、被検眼前眼部の撮像を行うことも可能である。この場合、ＯＣＴ装置において、参照光と被検眼前眼部までの測定光との光路長を合わせるために、被検眼と装置との作動距離を眼底断層像撮像時より離すことを要する。即ち、ＯＣＴ光学系の光源および受光手段と被検眼前眼部とが略共役になるような補正レンズが入った前眼部撮像用アダプターを対物レンズ付近に取り付ける。これにより、眼底用のＯＣＴ装置により前眼部の断層像を得ることが可能となる。
【先行技術文献】
【特許文献】
【０００５】
【特許文献１】特開２０１１−１４７６０９号公報
【発明の概要】
【発明が解決しようとする課題】
【０００６】
しかしながら、前眼部撮像用アダプターを対物レンズ付近に取り付けると、前眼部観察光学系の撮像手段と被検眼の瞳孔付近との共役関係が崩れてしまう。その結果、撮像手段からの出力画像による位置合わせが出来なくなる。この場合、別途眼底観察用のレーザ走査検眼鏡（Ｓｃａｎｉｎｇ  Ｌａｓｅｒ  Ｏｐｈｔｈａｌｍｏｓｃｏｐｅ：以下ＳＬＯ装置と記す。）が具備されているＯＣＴ装置であれば、被検眼前眼部の観察は該ＳＬＯ装置を用いて行うことが出来る。また、ＳＬＯ装置或いは光学系がない場合は、断層像を取得する合間にＯＣＴ光学系の２次元スキャンを行い、取得した断層像の輝度情報から２次元画像を生成する疑似ＳＬＯ手法を用いて前眼部観察を行うことが知られている。
【０００７】
ここで、断層像の深さ方向の範囲には制限があり、前眼部の撮像部位によって疑似ＳＬＯ画像の差が生じてしまう。例えば虹彩付近の深さでの前眼部の断層像を撮像する場合は、疑似ＳＬＯ画像上にアライメントの目印となる瞳孔を確認することが出来る。しかし、角膜付近の深さでの断層像を撮像する場合には、断層像から虹彩付近の輝度情報が取得できないため疑似ＳＬＯ画像にアライメントの目印となる瞳孔像を確認出来ない。従って、この場合には、被検眼と装置のアライメントが困難となる。
【０００８】
本発明は、以上の状況に鑑みて為されたものである。即ち、眼底断層画像撮像用の眼科装置において、前眼部断層像撮像用のアダプター装着時であっても、前眼部観察手段により前眼部の観察を可能とする眼科装置、該アダプターを加えた眼科システム、および眼科装置の制御方法を提供することを目的とする。
【課題を解決するための手段】
【０００９】
上記目的を達成するため、本発明に係る眼科装置は、
被検眼の眼底の断層画像を撮像する断層画像撮像光学系と、
前記被検眼の前眼部を撮像する撮像手段を含む前眼部観察光学系と、
前記断層画像撮像光学系と前記前眼部観察光学系と内蔵し、前記前眼部の断層画像を撮像する際に用いる前眼部撮像用アダプターを前記被検眼と対向する位置に装着可能な光学ヘッドと、
前記前眼部観察光学系の光路に対し挿脱可能であって、前記被検眼前眼部の結像位置を補正する結像位置補正手段と、を有することを特徴とする。
【発明の効果】
【００１０】
本発明によれば、眼底断層像撮像用の眼科装置に対して前眼部撮像用アダプター装着して前眼部断層像を撮像しようとする場合であっても、前眼部観察手段による被検眼前眼部の観察、および観察に基づくアライメント等が可能になる。
【図面の簡単な説明】
【００１１】
【図１】本発明の第１の実施形態に係るＯＣＴ装置全体構成について示した概略図である。
【図２】図１に示すＯＣＴ装置の測定光学系の構成を示した模式図である。
【図３】本発明の第１の実施形態に係る前眼部撮像用アダプターの構成図である。
【図４】眼底撮像時と前眼部撮像時の作動距離についての説明図である。
【図５】眼底撮像時と前眼部撮像時の前眼部観察光学系の共役関係についての説明図である。
【図６】図１に示すＯＣＴ装置における測定操作画面の例を示した図である。
【図７】本発明の第１の実施形態に係るＯＣＴ装置における前眼部断層画像の撮像のフローを示したフローチャートである。
【発明を実施するための形態】
【００１２】
以下、本発明の最良の実施形態について、添付する図面を参照して説明する。尚、以下の実施の形態は特許請求の範囲に関わる本発明を限定するものではなく、また、本実施の形態で説明されている特徴の組み合わせの全てが本発明の解決手段に必須のものとは限らない。
【００１３】
［第１の実施形態］
以下に本発明の第１の実施形態である、本発明を適用した眼科装置の一例としての被検眼眼底の断層像を撮像する光断層画像撮像装置（以下、ＯＣＴ装置と記す。）について説明する。
【００１４】
（装置の概略構成）
本実施形態におけるＯＣＴ装置の概略構成について図１を用いて説明する。
図１は、本発明の第１の実施形態に係るＯＣＴ装置の全体構成の概略について示した外観図である。ＯＣＴ装置たる光断層画像撮像装置３００は、光学ヘッド９００、ステージ部９５０、ベース部９５１、パソコン９２５、ハードディスク９２６、モニタ９２８、入力部９２９、および顎台３２３を有する。光学ヘッド９００は、被検眼の２次元像および断層画像を撮像するための測定光学系に相当する。ステージ部９５０は、該光学ヘッド９００を図中ｘｙｚ方向に不図示のモータを用いて移動可能とした移動部に相当する。ベース部９５１は、ステージ部９５０を支持すると共に、後述する分光器を内蔵する。
【００１５】
パソコン９２５はステージ部９５０の制御部を兼ね、該ステージ部９５０の制御とともに断層画像の構成等を行う。ハードディスク９２６はパソコン９２５に付随して配置され、被検者情報記憶部を兼ねて断層撮像用のプログラムなどを記憶する。モニタ９２８は表示部として断層画像の表示等を行い、入力部９２９はパソコンへの指示を行うために具体的にはキーボードとマウスから構成される。顎台３２３は、被検者の顎と額とを固定することで、被検者の眼（被検眼）の固定を促す。
【００１６】
（測定光学系および分光器の構成）
本実施形態におけるＯＣＴ装置について、内蔵される測定光学系および分光器の構成について図２を用いて次に説明する。
【００１７】
まず、光学ヘッド９００部の内部の構成について説明する。被検眼１００に対向して対物レンズ１０１が設置され、その光軸上でダイクロイックミラー１０２が配置される。該ダイクロイックミラー１０２の透過方向の光路Ｌ３上には前眼部観察光学系が配置される。該前眼部観察光学系は、イメージスプリットプリズムと一体化されたレンズ１１０、結像レンズ１１１、およびＣＣＤ１１２を有する。ＣＣＤ１１２は、対物レンズ１０１の周囲に配置された前眼部観察用照明１０５（図３の１０５ａ、１０５ｂ）の波長、具体的には９７０ｎｍ付近に感度を持つもの撮像素子である。
【００１８】
前眼部照明手段たる前眼部観察用照明１０５は、前眼部観察光学系の一要素を構成し、被検眼の前眼部を照明する。ＣＣＤ１１２は、この前眼部照明手段により証明された前眼部を撮像する撮像手段を構成する。ダイクロイックミラー１０２とレンズ１１０の間には、不図示のモータによって駆動され、光軸Ｌ３上に挿脱可能とされた結像補正用レンズ１０９が配置される。該結像補正用レンズ１０９は、後述するように、前眼部観察光学系の光路に対して挿脱可能であって被検眼前眼部の結像位置を補正する結像位置補正手段に対応する。なお、本実施形態では結像位置補正手段としてレンズを用いた態様を例示しているが、レンズに限らず結像位置を補正する同等の機能を有する光学部材によって置換可能である。
【００１９】
ダイクロイックミラー１０２の反射方向の光路上には、ダイクロイックミラー１０３が配置される。光路Ｌ３より分岐された光路は、このダイクロイックミラー１０３の透過方向のＯＣＴ光学系の光路Ｌ１と、反射方向の内部固視灯用の光路Ｌ２とに波長帯域ごとに分岐される。
【００２０】
光路Ｌ２上には、ダイクロイックミラー１０３より順に、レンズ１０４、合焦レンズ１０７、レンズ１０８、および内部固視灯１０６が配置される。合焦レンズ１０７は、内部固視灯１０６についての合焦調整のために、不図示のモータによって光路Ｌ２に沿って駆動される。内部固視灯１０６は、可視光を発生して被検者の固視を促すものである。
【００２１】
光路Ｌ１はＯＣＴ光学系を成しており被検眼１００の眼底の断層画像を撮像するためのものであり、断層画像撮像光学系を構成する。より具体的には断層画像を形成するための干渉信号を得るものである。光路Ｌ１には、ダイクロイックミラー１０３より順に、レンズ１０５、ミラー１１３、Ｘスキャナ１１４−１、Ｙスキャナ１１４−２、合焦レンズ１１５およびレンズ１１６が配置されている。これら光学部材に対しては、レンズ１１６の先に配置されるファイバー１１７−２の端部より、測定光が導入される。
【００２２】
Ｘスキャナ１１４−１およびＹスキャナ１１４−２は、ＯＣＴ装置の測定光を被検眼１００の眼底上で走査するために用いられる。合焦レンズ１１５は、光ファイバー１１７−２の端部から出射された光を被検眼１００の眼底上に合焦調整をするために、不図示のモータによって光軸方向（図中矢印方向）に駆動される。この合焦調整によって被検眼１００の眼底部からの反射される測定光は、再び光路Ｌ１を経て光ファイバー１１７−２先端にスポット状に結像されて入射されることとなる。
【００２３】
次に、光源１１８からの光路と参照光学系、および分光器の構成について説明する。
【００２４】
ＯＣＴ装置の測定光を供給する光源１１８は、光ファイバー１１７−１に対して光を射出する。光ファイバー１１７−１は光カプラー１１７に接続されている。光カプラー１１７には更に、光ファイバー１１７−２〜４が接続されて一体化している。参照光学系は、光ファイバー１１７−３から射出された参照光の光路上に配置される光学部材として、レンズ１２１、分散補償ガラス１２０、および参照ミラー１１９を有する。分散補償ガラス１２０は、測定光と参照光との分散を合わせるために当該参照光学系に配置される。また、光カプラー１１７から光ファイバー１１７−４を経た光は、分光器１８０に導かれる。本実施形態では、これらの構成によってマイケルソン干渉計を構成している。
【００２５】
より詳細には、光源１１８から出射された光は、光ファイバー１１７−１を通じ光カプラー１１７に導かれる。光カプラー１１７に導かれた光は、該光カプラー１１７により光ファイバー１１７−２側の測定光と光ファイバー１１７−３参照光とに分割される。測定光は前述のＯＣＴ光学系の光路Ｌ１を通じ、観察対象である被検眼１００の眼底に照射される。該測定光は、網膜による反射や散乱により同じ光路Ｌ１を戻り、該光路Ｌ１および光ファイバー１１７−２を通じて光カプラー１１７に到達する。
【００２６】
一方、参照光は、光ファイバー１１７−３、レンズ１２１、および分散補償ガラス１２０を介して参照ミラー１１９に到達し反射される。そして同じ光路を戻り、光カプラー１１７に到達する。光ファイバー１１７−２を経て光カプラー１１７に至った測定光（戻り光）と光ファイバー１１７−３を経て光カプラー１１７に至った参照光とは、光カプラー１１７によって合波され干渉光となる。ここで、測定光の光路長と参照光の光路長とが所定の条件を満たす状態となったときに干渉を生じる。参照ミラー１１９は不図示のモータおよび駆動機構によって光軸方向（図中矢印方向）に調整可能に保持され、被検眼１００の眼底位置によって変わる測定光の光路長に参照光の光路長を合わせることが可能である。光カプラー１１７によって生成された干渉光は、光ファイバー１１７−４を介して分光器１８０に導かれる。
【００２７】
分光器１８０は、レンズ１８１、レンズ１８３、回折格子１８２、およびラインセンサ１８４から構成される。光ファイバー１１７−４から出射された干渉光はレンズ１８１を介して略平行光となった後、回折格子１８２で分光され、レンズ１８３によってラインセンサ１８４に結像される。尚、当該ラインセンサ１８４は、本発明において干渉光を受光して該干渉光に応じた出力信号を発生、出力する受光素子の一例として示される。
【００２８】
次に、光源１１８の周辺について説明する。光源１１８には、代表的な低コヒーレント光源であるＳＬＤ（Ｓｕｐｅｒ  Ｌｕｍｉｎｅｓｃｅｎｔ  Ｄｉｏｄｅ）を用いている。用いる光の中心波長は８５５ｎｍ、波長バンド幅は約１００ｎｍである。ここで、バンド幅は、得られる断層画像の光軸方向の分解能に影響するため、重要なパラメータである。中心波長は眼を測定することを鑑みると、近赤外光が適する。また、中心波長は得られる断層画像の横方向の分解能に影響するため、なるべく短波長であることが望ましい。双方の理由から、本実施形態では測定光の中心波長を８５５ｎｍとした。
【００２９】
尚、本実施形態では干渉計としてマイケルソン干渉計を用いたが、マッハツェンダー干渉計を用いてもよい。
【００３０】
（前眼部断層画像の取得方法）
上述した被検眼眼底の断層像を撮像するＯＣＴ装置を用いた前眼部断層画像の取得方法について説明する、撮像には、前眼部撮像用アダプター２００を対物レンズ１０１の前に装着する。なお、前眼部撮影用アダプター２００は被検眼１００の前眼部の断層画像を撮像する更に用いられる。また、使用時においては、断層画像撮像光学系の少なくとも一部と前眼部観察光学系とを内蔵する光学ヘッドにおいて、被検眼１００と対向する位置に装着可能とされている。この前眼部撮影用アダプター２００はＯＣＴ装置と合わせて、眼科システムを構築する。
【００３１】
図３は、前眼部撮像用アダプター２００を対物レンズ１０１に装着されたた状態を上方から見た断面図である。前眼部撮像用アダプター２００の先には、前眼部撮像用対物レンズ２０１が配置されている。また、前眼部撮像用アダプター２００の鏡筒内には、導光手段として機能するライトガイド２０２ａ、２０２ｂが設けられている。該ライトガイド２０２ａ、２０２ｂにより前眼部観察用照明１０５ａ、１０５ｂからの照明光を前眼部撮像用対物レンズ２０１付近まで導き、被検眼１００の前眼部を照明する。
【００３２】
より詳細には、前眼部照明１０５ａ、１０５ｂからの光は、前眼部撮像用アダプター２００の鏡筒に構成されたライトガイド２０２ａ、２０２ｂを通して被検眼１００を照明する。被検眼１００の照明による反射光は、前眼部撮像用対物レンズ２０１および対物レンズ１０１を通過し、更に前述した光路Ｌ３を通過してＣＣＤ１１２に結像される。ＣＣＤ１１２に結像された前眼部像は、図示しないＣＣＤ制御部で読み出され、増幅およびＡ／Ｄ変換が施された後、不図示の演算部に入力される。該演算部では、画像を１８０°回転させる。演算部に入力された前眼像は、パソコン９２５に取り込まれ、必要に応じてハードディスク９２６に保存される、或いはモニタ９２８に表示される。
【００３３】
本実施形態に係るＯＣＴ装置について、前眼部撮影用アダプター２００を用いない場合と用いた場合との作動距離に変化について、図４を参照して説明する。尚、ここで述べる作動距離とは、ＯＣＴ装置により断層画像を取得する際の該ＯＣＴ装置と被検眼との距離のことである。より詳細には、被検眼１００の直前に配置される対物レンズ１０１の表面と前眼との距離に当たる。
【００３４】
前眼部撮影用アダプター２００を用いた場合の作動距離は、図４（ｂ）に示すように図４（ａ）の眼底撮像時の作動距離ＷＤｒより長い作動距離ＷＤａとなる。この作動距離の差は、眼底とは異なる前眼部の撮像位置と参照光学系の光路長差を合わせるために生じる。また、眼底撮影時には、測定光１５０は被検眼の瞳位置付近をピボットポイントとしてスキャンする。これに対して、前眼部において必要な画角を得るにはピボットポイントを眼底撮影の場合より離す必要もある。尚、前眼部撮像用対物レンズ２０１は、適正作動距離ＷＤａの時に光ファイバー１１７−２の測定光射出部と前眼部とが略共役になるようなパワーを持ったレンズである。
【００３５】
図５は、被検眼１００と前眼部観察光学系との共役関係を示している。図５（ａ）は眼底撮像時における関係を示しており、被検眼１００の前眼部とレンズ１１０のイメージスプリットプリズム、およびＣＣＤ１１２とが共役の関係にある。このような関係を成り立たせることにより、ＣＣＤ１１２において前眼部像を鮮明に映すことが出来る。
【００３６】
一方、図５（ｂ）は前眼部撮像時における関係を示しているが、作動距離の違いと前眼部撮像用対物レンズ２０１との影響により、前述した前眼部観察光学系の共役関係が崩れてしまう。そのため、本実施形態では、結像補正用のレンズ１０９を光路Ｌ３上に挿入している。当該結像補正用レンズ１０９の挿入により、被検眼１００の前眼部と、レンズ１１０のイメージスプリットプリズム、およびＣＣＤ１１２とが再び共役の関係になるように、光学上の位置を補正することが可能となる。即ち、結像補正用レンズ１０９を介在させることにより、前眼部の結像位置を補正して、前眼部撮像時でもＣＣＤ１１２において前眼部像を鮮明に映すことが出来る。尚、前眼部撮像時は眼底撮像時に対して結像が一回多いためＣＣＤ１１２には前眼部像が反転して映される。従って、前述したように、画像表示時には画像を１８０°回転させる操作が加わる。
【００３７】
ＯＣＴ装置は、Ｘスキャナ１１４−１およびＹスキャナ１１４−２を制御することで、被検眼１００の前眼部おける所望部位の断層画像を取得することができる。
【００３８】
図４（ｂ）は、被検眼１００の前眼部に測定光１５０を照射し、前眼部をｘ方向にスキャンを行っている様子を示している。被検眼１００の前眼部におけるｘ方向の撮像範囲から所定の撮像本数の情報をラインセンサ１８４で取得する。ｘ方向のある位置で得られるラインセンサ１８４上の輝度分布を高速フーリエ変換（ＦＦＴ）し、該ＦＦＴで得られた線状の輝度分布をモニタに示すために濃度あるいはカラー情報に変換したものをＡスキャン画像と呼ぶ。即ち、受光素子たるラインセンサ１８４において受光された干渉光により得られた出力信号に応じて、Ａスキャン画像としての画像取得が為される。この複数のＡスキャン画像を並べた２次元の画像をＢスキャン画像と呼ぶ。１つのＢスキャン画像を構築するための複数のＡスキャン画像を取得した後、ｙ方向のスキャン位置を移動させて再びｘ方向のスキャンを行うことにより、複数のＢスキャン画像を得る。複数のＢスキャン画像、あるいは複数のＢスキャン画像から構築した３次元断層画像をモニタに表示することで検者が被検眼の診断に用いることができる。
【００３９】
測定光と参照光とを合波させて所望の干渉を得るためには、前述したようにこれら測定光の光路長と参照光の光路長とが所定の条件を満たすように連動することを要する。従って、前眼部の撮像部位（例えば、角膜、虹彩等）の位置での測定光の光路長に応じて、参照光の光路長を変更するように参照ミラー１１９の移動を行う。
【００４０】
（測定画面）
図６に、モニタ９２８上に表示される測定画面１０００を示す。
測定画面１０００には、左右眼切り替えボタン１００１、マウスカーソル１００２、モード切り替えボタン１００４、撮像ボタン１００５、前眼部観察画面１１０１、合焦スライダ１２０３、コヒーレントゲート位置調整スライダ１２０４、および断層画像表示画面１３０１が表示される。
【００４１】
前眼部観察画面１１０１は、前眼観察用ＣＣＤ１１２によって得られた前眼観察像を表示する。断層画像表示画面１３０１は、取得された断層画像を確認するためにこれを表示する画面である。
【００４２】
左右眼切り替えボタン１００１は被検眼の左右眼を切り替えるボタンであり、Ｌ、Ｒボタンを押すことにより、左右眼の初期位置に光学ヘッド９００を移動させることが出来る。モード切り替えボタン１００４は撮影モード（眼底、前眼部）を切り替えるボタンであり、当該ボタンを押すことにより撮影モードを切り替えることが出来る。マウスカーソル１００２は、検者が入力部９２９に含まれるマウスを操作することにより、測定画面１０００上でのこのマウスカーソル１００２の表示位置を動かすことが出来る。
【００４３】
本測定装置において、前眼観察画面１１０１内でのマウスカーソル１００２の位置に応じてＸＹ方向のアライメントが調整できるように、不図示のカーソル位置検出手段が配されている。カーソル位置検出手段は、マウスカーソルの表示画面上の画素位置からその位置を算出する。具体的には、測定画面中に所定の範囲を設けておき、設けた範囲とアライメントの駆動量との対応づけを予め設定しておく。それにより、設定した範囲の画素内にマウスカーソルがあるときには、その設定した範囲で定めたアライメントを行うことができる。
【００４４】
また、入力部９２９におけるマウスによるＺ方向のアライメント操作については、例えばマウスのホイールを回転させること等により行うことが好ましい。また、前眼観察画面１１０１内に表示されるスライダ枠１００３を用いることも可能である。該スライダ枠１００３はＯＣＴのＸＹ方向の撮像位置を表すものであって、該スライダ枠１００３をマウスカーソル１００２でドラッグすることで光学ヘッド９００の位置変更を行うこととすることも可能である。
【００４５】
また、断層画像表示画面１３０１の近傍に配置されている２つのスライダは、ＯＣＴ光学系における断層画像取得時の装置パラメータの調整を行うためのものである。合焦スライダ１２０３は、ＯＣＴ装置におけるフォーカス調整を行うために用いられる。ＯＣＴフォーカス調整は、前眼部に対する測定光の合焦調整を行うための操作であって、合焦レンズ１１５を図示の矢印方向に移動する調整である。コヒーレンスゲート調整スライダ１２０４は参照ミラー１１９の位置の調整を行うために用いられる。参照ミラー１１９の位置調整とは、参照光の光路長を変更させることで深さ方向（Ｚ方向）の撮像部位の調整を行うために、参照ミラー１１９を図示の矢印方向に移動する調整である。尚、深さ方向の撮像部位と測定光の合焦位置には相関があるためＯＣＴフォーカス調整と参照ミラーの位置調整とは連動させてもよい。
【００４６】
次に、本実施例の特徴であるＯＣＴ装置を用いた被検眼１００の前眼部の断層像の取得方法、および処理方法に関して図２、図３、図６、および図７を用いて説明する。図７は、検者およびパソコン９２５の動作を示すフローチャートである。
【００４７】
以下、フローチャート図７を用いて説明する。ステップＳ１でモード切り替えボタン１００４により前眼が選択され、前眼についての測定開始の指示がなされる。尚、ここではモード切り替えボタン１００４により前眼撮影を選択したが、前眼部撮像用アダプター２００が光学ヘッド９００に取り付けられたことを検知手段により検知して自動的に前眼部撮影モードに移行してもよい。不図示の検知手段としては、公知の接触型のセンサ、光学的なセンサ等種々のセンサが使用可能である。当該指示に応じ、合焦レンズ１１５および参照ミラー１１９はあらかじめ設定された初期位置に移動され、結像補正用のレンズ１０９が光路Ｌ３上に挿入される。この結像補正用レンズ１０９の光路Ｌ３への挿入はパソコン９２５において制御手段として機能するモジュール領域により実行される。
【００４８】
パソコン９２５は、ステップＳ２で、前眼部画像１１０２を取得し前眼観察画面１１０１にこれを動画として表示する。ステップＳ３で前眼部画像に対して、マウスカーソル１００２等の操作を行い被検眼１００と装置、より詳細には光学ヘッド９００とのアライメントを行う。作動距離方向については、アライメントがずれているとイメージスプリットプリズム１１０により前眼部像は画面の上下部で割れて表示される。従って、この上下部の表示が一致するようにマウス操作によりアライメントを行う。
【００４９】
ステップＳ４では、前述したスライダ枠１００３をマウスカーソル１００２等操作にて前眼観察画面１１０１上で移動させて断層像の撮像位置を設定する。ここでは被検眼１００の隅角付近にスライダ枠１００３を合わせた例が示してある。ステップＳ５では、断層画像表示画面１３０１を見ながらコヒーレンスゲート調整スライダ１２０４をマウスカーソル１００２にて移動させる。当該操作を介して参照ミラー１１９を光軸方向に移動させることにより、枠内における深さ方向の撮像部位を設定する。ステップＳ６では断層画像表示画面１３０１を見ながら合焦スライダ１２０３をマウスカーソル１２０３にて移動させる。当該操作を介して合焦レンズ１１５を光軸方向に移動させることで、ＯＣＴフォーカス調整を行う。
【００５０】
ステップＳ７にて撮像ボタン１００５を押し、前眼部の断層像を取得する。ステップＳ８では取得された画像を表示する、或いは当該画像を補正して表示する。
【００５１】
尚、ステップＳ２にて、ＣＣＤ１１２により撮像された前眼画像から画像処理により被検眼１００の瞳孔位置や上下に割れた前眼部像を検出し、ＯＣＴ装置と被検眼１００とのアライメント位置関係を知ることが出来る。このため、当該前眼部像に基づいて光学ヘッド９００を不図示のＸＹＺステージにより駆動し、オートアライメントを行っても良い。本実施形態によれば、断層画像撮像中においても、常に被検眼１００の前眼部を監視することができる。
【００５２】
以上説明したように、本実施例の光断層画像撮像装置（ＯＣＴ装置）においては、前眼部撮像用アダプターを使用した被検眼の前眼部の撮像時に前眼部観察光学系に被検眼前眼部と撮像手段が略共役になるように結像補正用のレンズを光路中に挿入している。これにより、前眼部観察光学系により被検眼の前眼部の観察を行えるため、アライメントの操作性を向上させることが出来る。
【００５３】
（その他の実施例）
また、本発明は、上述した実施形態の機能（例えば、上記の各部の処理を各工程に対応させたフローチャートにより示される処理）を実現するソフトウェアのプログラムコードを記録した記憶媒体を、システム或いは装置に供給することによっても実現できる。この場合、そのシステム或いは装置のコンピュータ（又はＣＰＵやＭＰＵ）が、コンピュータが読み取り可能に記憶媒体に格納されたプログラムコードを読み出し実行することにより、上述した実施形態の機能を実現する。
【符号の説明】
【００５４】
１００  被検眼
１０１  対物レンズ
１０９  結像補正用のレンズ
１１２  ＣＣＤカメラ
２００  前眼部撮像用アダプター
２０１  前眼部撮像用対物レンズ
２０２  ライトガイド
９００  光学ヘッド
９２５  制御部
９５０  ステージ部
１０００  前眼部測定画面
【図１】
2016123481.tif 000003
【図２】
2016123481.tif 000004
【図３】
2016123481.tif 000005
【図４】
2016123481.tif 000006
【図５】
2016123481.tif 000007
【図６】
2016123481.tif 000008
【図７】
2016123481.tif 000009